(57)【要約】【課題】記録装置の記録能力および追いかけ再生時の再生能力を判定する記録再生制御装置および記録再生制御方法を提供する。【解決手段】記録再生制御装置が、記録装置に画像データを記録させる記録制御手段と、前記記録制御手段が前記記録装置に画像データを記録させている時間に基づいて、記録レートを算出する記録レート算出手段と、前記記録装置に画像データを記録しながら、前記記録装置に記録された画像データを再生させる記録再生制御手段と、前記記録再生制御手段が前記記録装置に記録された画像データを再生させている時間を測定する再生時間測定手段と、前記測定される再生時間に基づいて、再生レートを算出する再生レート算出手段と、前記算出される記録レートおよび再生レートに基づき、録画性能および再生性能を判定する判定手段と、を具備する。【選択図】図３
2008067216.tif 000002
【特許請求の範囲】
【請求項１】
記録装置に画像データを記録させる記録制御手段と、
前記記録制御手段が前記記録装置に画像データを記録させている時間に基づいて、記録レートを算出する記録レート算出手段と、
前記記録装置に画像データを記録しながら、前記記録装置に記録された画像データを再生させる記録再生制御手段と、
前記記録再生制御手段が前記記録装置に記録された画像データを再生させている時間を測定する再生時間測定手段と、
前記測定される再生時間に基づいて、再生レートを算出する再生レート算出手段と、
前記算出される記録レートおよび再生レートに基づき、録画性能および再生性能を判定する判定手段と、
を具備することを特徴とする記録再生制御装置。
【請求項２】
前記記録レートに基づいて、前記再生時間測定手段が再生時間を測定するときの条件を決定する測定条件決定手段、をさらに具備し、
前記再生時間測定手段が、前記決定された条件で再生時間を測定する
ことを特徴とする請求項１記載の記録再生制御装置。
【請求項３】
前記条件が、前記記録装置に画像データを記録する記録レートである
ことを特徴とする請求項２記載の記録再生制御装置。
【請求項４】
前記判定される録画性能および再生性能を表示する表示手段
をさらに具備することを特徴とする請求項１記載の記録再生制御装置。
【請求項５】
記録装置に画像データを記録させるステップと、
前記記録装置に画像データを記録させている時間に基づいて、記録レートを算出するステップと、
前記記録装置に画像データを記録しながら、前記記録装置に記録された画像データを再生させるステップと、
前記記録装置に記録された画像データを再生させている時間を測定するステップと、
前記測定される再生時間に基づいて、再生レートを算出するステップと、
前記算出される記録レートおよび再生レートに基づき、録画性能および再生性能を判定するステップと、
を具備することを特徴とする記録再生制御方法。
【発明の詳細な説明】
【技術分野】
【０００１】
この発明は、受信した放送コンテンツ等を記録再生機器に記録すると同時に再生させる記録再生制御装置及び記録再生制御方法に関する。
【背景技術】
【０００２】
周知のように、近年では、テレビジョン放送のデジタル化が推進されている。例えば、日本国内においては、ＢＳ(Broadcasting Satellite)デジタル放送及び１１０度ＣＳ(Communication Satellite)デジタル放送等の衛星デジタル放送だけでなく、地上デジタル放送も開始されている。
【０００３】
そして、このようなデジタルテレビジョン放送を受信するデジタル放送受信装置にあっては、例えば、ＨＤＤ(Hard Disk Drive)のような大容量のデジタル記録機器を接続することにより、受信した番組をデジタル記録したり、記録した番組を再生したりすることが可能となっている。
【０００４】
ここで、特許文献１には、ファイルの転送速度を測定することで、複数の録画モードでの録画の可否を表示する技術が開示されている。特許文献２には、データ蓄積装置の書込／読み出しの転送レートをテストする技術が開示されている。
【特許文献１】特開２００６−９４４０３号公報
【特許文献２】特開平０９−３１９５２４号公報
【発明の開示】
【発明が解決しようとする課題】
【０００５】
しかしながら特許文献１、２には、例えば、映像音声信号をハードディスク等に記録すると同時に再生（以下、この記録すると同時に再生する動作を“追いかけ再生”と記す）させた場合の再生速度それ自体の測定は開示されていない。
特許文献１には、追いかけ再生のための再生速度の測定が記載されている（段落番号００３９、００４３、００４４参照）。しかし、ここではファイルの転送速度を再生速度の代用として測定しており、再生速度それ自体を測定してはいない。追いかけ再生時の再生速度は転送速度のみで決定されるものではない。再生処理と同時並行的な記録処理によって、転送速度が同一だとしても機器の再生能力が低下する。
また、記録再生装置では、追いかけ再生時の再生能力に加えて、追いかけ再生時以外での録画能力が基本的な能力として重要である。
【０００６】
上記に鑑み、本発明は、記録装置の記録能力および追いかけ再生時の再生能力を判定する記録再生制御装置および記録再生制御方法を提供することを目的とする。
【課題を解決するための手段】
【０００７】
本発明の一態様に係る記録再生制御装置は、記録装置に画像データを記録させる記録制御手段と、前記記録制御手段が前記記録装置に画像データを記録させている時間に基づいて、記録レートを算出する記録レート算出手段と、前記記録装置に画像データを記録しながら、前記記録装置に記録された画像データを再生させる記録再生制御手段と、前記記録再生制御手段が前記記録装置に記録された画像データを再生させている時間を測定する再生時間測定手段と、前記測定される再生時間に基づいて、再生レートを算出する再生レート算出手段と、前記算出される記録レートおよび再生レートに基づき、録画性能および再生性能を判定する判定手段と、を具備することを特徴とする。
【０００８】
本発明の一態様に係る記録再生制御方法は、記録装置に画像データを記録させるステップと、前記記録装置に画像データを記録させている時間に基づいて、記録レートを算出するステップと、前記記録装置に画像データを記録しながら、前記記録装置に記録された画像データを再生させるステップと、前記記録装置に記録された画像データを再生させている時間を測定するステップと、前記測定される再生時間に基づいて、再生レートを算出するステップと、前記算出される記録レートおよび再生レートに基づき、録画性能および再生性能を判定するステップと、を具備することを特徴とする。
【発明の効果】
【０００９】
本発明によれば、記録装置の記録能力および追いかけ再生時の再生能力を判定する記録再生制御装置および記録再生制御方法を提供できる。
【発明を実施するための最良の形態】
【００１０】
以下、図面を参照して、本発明の実施の形態を詳細に説明する。
図１は、本発明の一実施形態に係る記録再生制御装置であるネットワーク機能を備えたデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成される。そして、キャビネット１１２には、例えばＳＥＤ(Surface-conduction Electron-emitter Display)表示パネル、液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ(Secure Digital)メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット(登録商標)により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＬＡＮ対応のＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２０】
なお、コンテンツサーバー１３３についてはコンテンツのサーバー機器として動作するための機能を持ち、さらにコンテンツのアクセスに必要なＵＲＩ情報を提供するサービ備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２７】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３２】
制御部２６１には、信号処理部２４７から、番組を取得するための各種データや電子番組ガイド（ＥＰＧ）情報、番組属性情報（番組ジャンル等）、字幕情報等（サービス情ＳＩやＰＳＩ）が入力されている。
【００３３】
制御部２６１は、これら入力された情報からＥＰＧ、字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２６１へ出力する。
【００３４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ、字幕信号とを合成して映像処理部２５８へ出力する機能を有する。
また、字幕放送による字幕を表示するとき、グラフィック処理部２５４は、制御部２４１からの制御による字幕情報に基づき、映像信号上に字幕情報を重畳する処理を行う。
【００３５】
グラフィック処理部２５４から出力されたデジタルの映像信号は、映像処理部２５８に供給される。この映像処理部２５８は、入力されたデジタルの映像信号を、前記器１１４で表示可能なフォーマットのアナログ映像信号に変換した後、映像表示器１１４に出力して映像表示させるとともに、出力端子２５９を介して外部に導出させる。
【００３６】
また、上記音声処理部２５５は、入力されたデジタルの音声信号を、前記スピーカ１１５で再生可能なフォーマットのアナログ音声信号に変換した後、スピーカ１１５に出力音声再生させるとともに、出力端子２６０を介して外部に導出させる。
【００３７】
ここで、このデジタルテレビジョン放送受信装置１１１は、上記した各種の受信動作を含むその全ての動作を制御部２６１によって統括的に制御されている。この制御部２６１、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３８】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００３９】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６５を介して情報伝送することができる。
【００４０】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４１】
また、上記制御部２６１は、ＵＳＢ−Ｉ／Ｆ２７１を介して前記ＵＳＢ端子１２３に接続されている。これにより、制御部２６１は、ＵＳＢ端子１２３に接続された各機器（図１参照）と、ＵＳＢ−Ｉ／Ｆ２７１を介して情報伝送することができる。
【００４２】
さらに、上記制御部２６１は、ｉ．ＬＩＮＫ−Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ−Ｉ／Ｆ２７２を介して情報伝送することができる。
【００４３】
ところで、この実施形態では、ＬＡＮ対応のＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４４】
また、不揮発性メモリ２６１ｃに、ＬＡＮ対応のＨＤＤ１２５、ＨＤＤ１２７、コンテンツサーバー１２８、ＤＶＤレコーダ１２９それぞれのストレージＩＤを記憶している。
【００４５】
また、制御部２６１は、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４６】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００４７】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００４８】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００４９】
さらに、上記制御部２６１は、ネットワーク上の記録再生処理を行う記録再生機器を登録する登録部２６１ｇと、任意の記録再生位置にファイルを記録させる記録速度および追いかけ再生速度（記録と再生を同時に実行する場合の再生速度）を測定する測定制御部２６１ｈとを有している。
【００５０】
（記録再生能力の判定）
このような構成を有する記録再生制御装置であるデジタルテレビジョン放送受信装置１１１の、記録再生能力の判定について、図面を用いて以下に詳細に説明する。
【００５１】
図３、図４は、本発明の一実施形態に係るデジタルテレビジョン放送受信装置１１１の記録再生能力の判定処理手順の一例を示すフローチャートである。図３、図４はそれぞれ、ＨＤ単独、ＨＤおよびＳＤ双方で性能を判定している。
【００５２】
Ａ．２４ＭｂｐｓのＨＤでの性能測定（図３）
（１）測定条件の設定（ステップＳ１１）
追いかけ再生テストの測定条件を設定する。この設定は、テスト対象とする機器およびテスト内容の選択を意味する。
１）機器の選択
テスト対象とする機器を選択する。即ち、このデジタルテレビジョン放送受信装置１１１において、制御部２６１の登録部２６１ｇにより、ネットワーク上の追いかけ再生に用いる機器（例えば、記録装置の一つであるＨＤＤ１２７）を選択する。
【００５３】
・デフォルトにより自動的に、例えは、ネットワーク上の登録番号が一番若い録画機能を有する機器に決定できる。
・ユーザの操作によりマニュアルで決定することも可能である。この際、デジタルテレビジョン放送受信装置１１１の映像表示器１１４に、ネットワーク図を表示し、例えば、リモートコントローラ１１７を用いて、録画機能を有する機器を選択できる。
【００５４】
２）測定条件の選択
測定条件を選択する。この選択は、デフォルトにより自動的選択、ユーザによる選択の何れでも差し支えない。この選択の結果、例えば、図３、図４の測定手順の何れかが選択される。ここでは、図３のように２４ＭｂｐｓのＨＤでの性能測定が選択されたとする。その後、例えば、リモートコントローラ１１７の操作により性能測定が開始される。この測定は、録画性能、追いかけ再生性能の順に実行される。
【００５５】
（２）録画性能の測定（ステップＳ１２）
録画性能は、以下の手順で測定できる。
１）測定制御部２６１ｈに内蔵されるプログラム等の働きにより、測定制御部２６１ｈが記録用の任意の２４Ｍｂｐｓのテストデータを準備し、ＨＤＤ１２７（例えば、図１のＨＤＤ１２７内のハードディスクドライブ）へ転送して記録を開始すると共に、計時を開始する。
２）記録が完了したら計時を終了し、記録時間（計時開始から記録完了迄の期間）を求める。
３）測定制御部２６１ｈの働きにより、例えば、（記録させたテストデータのサイズ）÷（記録時間）により、平均の記録速度（レート＝情報量／時間、例えば、２４Ｍｂｐｓ）を求める。
【００５６】
（３）再生性能の測定可否の判定（ステップＳ１３）
録画性能を判定する。平均の録画速度が基準値（２４Ｍｂｐｓ）以上であるか否かを判定する。平均の録画速度が基準値（２４Ｍｂｐｓ）に達していなければ、再生性能の測定は実行されない。
【００５７】
（４）再生性能の測定（ステップＳ１４）
平均の録画速度が基準値（２４Ｍｂｐｓ）以上であれば、再生性能が測定される。例えば、以下の手順で再生性能が測定される。
１）測定の準備
測定制御部２６１ｈが持つ記録用の任意の２４Ｍｂｐｓのテストデータを生成し、ＨＤＤ１２７（例えば、図１のＨＤＤ１２７内のハードディスクドライブ）へ転送して記録を開始すると共に、計時を開始する。
【００５８】
２）追い掛け再生
テストデータを記録するＨＤＤ１２７への記録が例えば１分が経過したら追い掛け再生が開始される。
テストデータを記録するＨＤＤ１２７への２４Ｍｂｐｓでの記録（衛星ハイビジョン放送１チャンネル分の速度）を実行しながら、更に、この記録したデータの記録開始点から上記記録を優先しながらできるだけ早く再生を行い、この再生したデータをデジタルテレビジョン放送受信装置１１１へ送信させる。
【００５９】
このとき、後述する記録優先のモードで制御が行われることにより、記録が破綻することの無い範囲内で再生が実行される。このときできるだけ早く再生を行うために、ＨＤＤ１２７からデータを受け取ったら直ぐにデータの要求をすることを行っている。
【００６０】
３）再生時間の導出
記録が完了したら、計時を終了し、追いかけ再生をした間の再生時間を求める。この追いかけ再生をした間については、（計時開始から記録完了迄の期間）−１分から求めることができる。
【００６１】
４）再生速度の算出
測定制御部２６１ｈの働きにより、例えば、（再生させたテストデータのサイズ）÷（追いかけ再生をした間の記録時間）により、平均の”追いかけ再生時における再生速度”を求める。高画質モードの映像音声信号を再生した場合に、容量が大きすぎるため、ネットワークや記録再生制御装置のトータルの転送能力が追いつかず、再生不能となる場合が考えられる。このため転送速度が許容する範囲内で行われる追いかけ再生モードのみが、このＨＤＤ１２７で追いかけ再生対応可能となるものである。
【００６２】
（６）録画・再生性能の表示（ステップＳ１５〜Ｓ１８）
録画性能、再生性能に基づき、総合的な録画・再生性能を判定、画面に表示する。
１）録画速度が２４Ｍｂｐｓより小さければ、衛星ＨＤ番組の録画および追い掛け再生の何れも不可と表示する（ステップＳ１６）。
２）録画速度および追いかけ再生速度の双方が２４Ｍｂｐｓ以上であれば、衛星ＨＤ番組の録画および追い掛け再生の何れも可能と表示する（ステップＳ１７）。
３）録画速度が２４Ｍｂｐｓ以上で追いかけ再生速度が２４Ｍｂｐｓより小さければ、衛星ＨＤ番組の録画は可能で追い掛け再生は不可と表示する（ステップＳ１８）。
図５は、記録再生能力の表示の具体例を示す。なお、本図は、ステップＳ１８の表示例である。
以上、２４ＭｂｐｓのＨＤのみについて判定している。
【００６３】
Ｂ．２４ＭｂｐｓのＨＤおよび８ＭｂｐｓのＳＤの双方での性能判定（図４）
以下に、２４ＭｂｐｓのＨＤおよび８ＭｂｐｓのＳＤの双方について判定する例を示す。
図４のステップＳ２１、Ｓ２２は、図３のステップＳ１１、Ｓ１２と変わることがないので、説明を省力する。
（１）再生性能の測定条件の決定（ステップＳ２３、Ｓ２４）
平均の録画速度が第１、第２の基準値（２４Ｍｂｐｓ、８Ｍｂｐｓ）以上であるか否かを判定し、再生性能の測定条件を決定する。平均の録画速度が第１の基準値以上であれば、２４Ｍｂｐｓ録画動作時の再生性能が測定される。平均の録画速度が第１、第２の基準値の間であれば、８Ｍｂｐｓ録画動作時の再生性能が測定される。平均の録画速度が第２の基準値（８Ｍｂｐｓ）に達していなければ、再生性能の測定は実行されない。
【００６４】
（２）再生性能の測定（ステップＳ３１〜Ｓ３７）
平均の録画速度が基準値（８Ｍｂｐｓ）以上であれば、再生性能が測定される。
既述のように、録画性能によって追いかけ再生の条件が設定される。
１）２４Ｍｂｐｓ録画動作時の再生性能の測定
録画性能が第１の基準値（２４Ｍｂｐｓ）以上の場合、２４Ｍｂｐｓ録画動作時の再生性能が測定される。
【００６５】
２）８Ｍｂｐｓ録画動作時の再生性能の測定
・録画性能が第１、第２の基準値の間（２４Ｍｂｐｓより小さく、８Ｍｂｐｓ以上）の場合、８Ｍｂｐｓ録画動作時の再生性能が測定される。
・２４Ｍｂｐｓ録画動作時の再生性能が第２の基準値（８Ｍｂｐｓ）より小さい場合も８Ｍｂｐｓ録画動作時の再生性能が測定される。即ち、この場合は、２４Ｍｂｐｓおよび８Ｍｂｐｓの双方で録画動作時の再生性能が測定される。
【００６６】
（６）録画・再生性能の表示（ステップＳ４１〜Ｓ４７）
録画性能、再生性能に基づき、総合的な録画・再生性能を判定、画面に表示する。
１）録画速度が８Ｍｂｐｓより小さければ、衛星ＨＤ番組およびＳＤ番組双方の録画および追い掛け再生の何れも不可と表示する（ステップＳ４１）。
【００６７】
２）録画速度および追いかけ再生速度の双方が２４Ｍｂｐｓ以上であれば、衛星ＨＤ番組およびＳＤ番組双方の録画および追い掛け再生の何れも可能と表示する（ステップＳ４２）。
【００６８】
３）録画速度が２４Ｍｂｐｓ以上で２４Ｍｂｐｓ録画動作時の再生速度が２４Ｍｂｐｓより小さく８Ｍｂｐｓ以上であれば、衛星ＨＤ番組およびＳＤ番組双方の録画は可能で、衛星ＨＤ番組での追い掛け再生は不可、ＳＤ番組での追い掛け再生は可能と表示する（ステップＳ４３）。
【００６９】
４）録画速度が２４Ｍｂｐｓ以上で、８Ｍｂｐｓ録画動作時の再生速度が８Ｍｂｐｓ以上であれば、衛星ＨＤ番組およびＳＤ番組双方の録画は可能で、衛星ＨＤ番組での追い掛け再生は不可、ＳＤ番組での追い掛け再生は可能と表示する（ステップＳ４４）。これは、ステップＳ４３と同様の表示である。これらのいずれでもＳＤ番組の追いかけ再生が可能であることには変わりない。
【００７０】
５）録画速度が２４Ｍｂｐｓ以上で、８Ｍｂｐｓ録画動作時の再生速度が８Ｍｂｐｓより小さければ、衛星ＨＤ番組およびＳＤ番組双方の録画は可能で、衛星ＨＤ番組およびＳＤ番組での追い掛け再生は不可と表示する（ステップＳ４５）。
【００７１】
６）録画速度が２４Ｍｂｐｓより小さく８Ｍｂｐｓ以上で、８Ｍｂｐｓ録画動作時の再生速度が８Ｍｂｐｓ以上であれば、衛星ＨＤ番組の録画は不可、ＳＤ番組の録画は可能で、衛星ＨＤ番組での追い掛け再生は不可、ＳＤ番組での追い掛け再生は可能と表示する（ステップＳ４６）。
【００７２】
７）録画速度が２４Ｍｂｐｓより小さく８Ｍｂｐｓ以上で、８Ｍｂｐｓ録画動作時の再生速度が８Ｍｂｐｓより小さければ、衛星ＨＤ番組の録画は不可、ＳＤ番組の録画は可能で、衛星ＨＤ番組およびＳＤ番組での追い掛け再生は不可と表示する（ステップＳ４７）。
【００７３】
図６は、これらの表示の具体例を示す。なお、本図は、ステップＳ４３またはＳ４４の表示例である。
【００７４】
なお、記録再生制御装置においてどのような追いかけ再生モードが存在し、それぞれのモードがどの程度の記録速度、転送速度を要求するかの情報は、ＨＤＤ１２７からデジタルテレビジョン放送受信装置１１１へ情報信号としてネットワークを介して提供されることが好適であるが、これに限るものではない。
【００７５】
（記録優先モードの詳細）
追いかけ再生速度検出時における記録優先時のバッファ制御について詳細に説明する。
ここで、上記制御部２６１は、受信した復調後の放送コンテンツを、第２のＬＡＮ端子１２２に接続されたＨＤＤ１２７に送信して記録させるように制御する際、ＨＤＤ１２７に送信すべきデータを、図７（ａ）に示すように、上記ＲＡＭ２６１ｂ内に設定された出力バッファ部７０１に一旦蓄積する。
【００７６】
この出力バッファ部７０１は、家庭内ネットワークの伝送容量、デジタル記録再生機器であるＨＤＤ１２７の記録データ単位等を考慮して、予め設定されたデータ量を記録可能な１０個のブロック７０１ａ、７０１ｂ、７０１ｃ、…、７０１ｊに分割されている。
【００７７】
そして、制御部２６１は、例えば、出力バッファ部７０１にブロック７０１ａからブロック７０１ｊに向けて順次データを書き込んで行き、ブロック７０１ｊへのデータ書き込みが終了すると、再び、ブロック７０１ａにデータを上書きするというように、各ブロック７０１ａ〜７０１ｊに対して循環的にデータの記録を行なうように制御している。
【００７８】
制御部２６１は、ブロック７０１ａが満杯になると、このブロック７０１ａに蓄積されたデータを読み出してＨＤＤ１２７に送信して記録させる。次に、制御部２６１は、ブロック７０１ｂが満杯になると、このブロック７０１ｂに蓄積されたデータを読み出してＨＤＤ１２７に送信して記録させる。このように、制御部２６１は、各ブロック７０１ａ〜７０１ｊに対して循環的にデータの読み出しを行なうように制御している。
【００７９】
このため、ＨＤＤ１２７に対して、正常に放送コンテンツの記録が行なわれている状態では、出力バッファ部７０１に対するデータの書き込み速度と読み出し速度とのバランスがとれているため、データを書き込んでいるブロックとデータを読み出しているブロックとの２つのブロックだけが循環的に使用されることになり、他の８つのブロックには、既に読み出し済みのデータしか残らないことになる。
【００８０】
これに対し、例えば家庭内ネットワークの負荷状況等によってＨＤＤ１２７へのデータ伝送速度が遅くなると、出力バッファ部７０１に対するデータの書き込み速度に比べて読み出し速度が遅くなる。このため、出力バッファ部７０１内で、まだ読み出されていないデータを蓄積したブロックの数が順次増えて行くことになる。
【００８１】
そして、出力バッファ部７０１は、その全てのブロック７０１ａ〜７０１ｊが、まだ読み出されてないデータで満杯になったときオーバーフロー状態となり、ＨＤＤ１２７に対する放送コンテンツの記録処理が破綻することになる。
【００８２】
一方、上記制御部２６１は、第２のＬＡＮ端子１２２に接続されたＨＤＤ１２７にアクセスし、ＨＤＤ１２７からＡＶコンテンツを取得して映像表示や音声再生に供させることができる。この場合、制御部２６１は、ＨＤＤ１２７から取得したデータを、図７（ｂ）に示すように、上記ＲＡＭ２６１ｂ内に設定された入力バッファ部７０２に一旦蓄積するように制御する。
【００８３】
この入力バッファ部７０２は、家庭内ネットワークの伝送容量、ＨＤＤ１２７の出力データ単位等を考慮して、予め設定されたデータ量を記録可能な１０個のブロック７０２ａ、７０２ｂ、７０２ｃ、…、７０２ｊに分割されている。
【００８４】
そして、制御部２６１は、例えば、入力バッファ部７０２にブロック７０２ａからブロック７０２ｊに向けて順次データを書き込んで行き、ブロック７０２ｊへのデータ書き込みが終了すると、再び、ブロック７０２ａにデータを上書きするというように、各ブロック７０２ａ〜７０２ｊに対して循環的にデータの記録を行なうように制御している。
【００８５】
そして、制御部２６１は、ブロック７０２ａが満杯になると、このブロック７０２ａに蓄積されたデータを読み出して映像や音声の再生を行ない、次に、ブロック７０２ｂが満杯になると、このブロック７０２ｂに蓄積されたデータを読み出して映像や音声の再生を行うというように、各ブロック７０２ａ〜７０２ｊに対して循環的にデータの読み出を行うように制御している。
【００８６】
ここにおいて、受信した放送コンテンツをＨＤＤ１２７に記録させる処理と、ＨＤＤ１２７からＡＶコンテンツを取得する処理とを同時に実行している状態を考える。この場合、制御部２６１は、出力バッファ部７０１の中で、まだ読み出されていないデータを蓄積しているブロックの数を監視し、このまだ読み出されていないデータを蓄積しているブロック数が８個以上になったとき、ＨＤＤ１２７からのＡＶコンテンツの取得を停止するように制御する。
【００８７】
これにより、ＨＤＤ１２７からデジタルテレビジョン放送受信装置１１１にＡＶコンテンツを伝送する分のネットワーク負荷が軽減されることになるので、出力バッファ部７０１がオーバーフローすることを極力防止することができる。このため、ネットワーク接続されたＨＤＤ１２７に対する放送コンテンツの記録処理を、高い信頼性を持って実現することができる。
【００８８】
図８は、上記した制御部２６１の処理動作をまとめたフローチャートを示している。すなわち、処理が開始され、ステップＳ５１で、ＨＤＤ１２７からＡＶコンテを取得する処理が実行されると、制御部２６１は、ステップＳ５２で、受信した放送コンテンツをＨＤＤ１２７に記録させる処理が実行されているか否かを判別する。
【００８９】
そして、記録処理が実行されていないと判断された場合（ステップＳ５２のＮＯ）、制御部２６１は、そのまま処理を終了する。
また、上記ステップＳ５２で記録処理が実行されていると判断された場合（ステップＳ５２のＹＥＳ）、制御部２６１は、ステップＳ５３で、出力バッファ部３０１の中で、まだ読み出されないデータを蓄積しているブロックの数が８個以上になったか否かを判別する。
【００９０】
そして、読み出されていないデータを蓄積しているブロックの数が８個未満であると判断された場合（ステップＳ５３のＮＯ）、制御部２６１は、そのまま処理を終了する。
【００９１】
一方、上記ステップＳ５３で読み出されていないデータを蓄積しているブロックの数が８個以上であると判断された場合（ステッフ．Ｓ５３のＹＥＳ）、制御部２６１は、ステップＳ５４で、ＨＤＤ１２７からのＡＶコンテンツの取得処理を停止させて、ステップＳ５１の処理に移行する。
【００９２】
上記した実施の形態によれば、放送コンテンツをＨＤＤ１２７に記録させる処理と、ＨＤＤ１２７からＡＶコンテンツを取得する処理とを同時に実行しているとき、出力バッファ部３０１の中で、まだ読み出されていないデータを蓄積しているブロックの数が８個以上になったとき、ＨＤＤ１２７からのＡＶコンテンツの取得を停止するようにしている。
【００９３】
このため、先に述べたように、ＨＤＤ１２７からＡＶコンテンツを伝送する分のネットワーク負荷が軽減され、出力バッファ部３０１がオーバーフローすることを極力抑えることができ、ネットワーク接続されたＨＤＤ１２７に対する放送コンテンツの記録処理を、高い信頼性を持って実現することができる。
【００９４】
また、上記した実施の形態では、出力バッファ部３０１の中で、まだ読み出されていないデータを蓄積しているブロックの数が８個以上になったとき、ＨＤＤ１２７のＡＶコンテンツの取得を停止するようにしたが、これは停止だけに限らず、例えば、ＨＤＤ１２７から取得するＡＶコンテンツのデータ量を、正常時よりも少なくするように制限しても良いものである。
【００９５】
（その他の実施形態）
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態態にわたる構成要素を適宜組み合わせてもよい。
【図面の簡単な説明】
【００９６】
【図１】本発明の一実施形態に係るネットワークシステムを概略的に示す模式図である。
【図２】図１のデジタルテレビジョン放送受信装置の主要な信号処理系を示すブロック図である。
【図３】デジタルテレビジョン放送受信装置の記録再生能力の判定処理手順の一例を示すフローチャートである。
【図４】デジタルテレビジョン放送受信装置の記録再生能力の判定処理手順の一例を示すフローチャートである。
【図５】記録再生能力の表示の一例を示す図である。
【図６】記録再生能力の表示の一例を示す図である。
【図７】出力バッファ、入力バッファのブロックを示す模式図である。
【図８】記録優先時のバッファ制御処理手順の一例を示すフロー図である。
【符号の説明】
【００９７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ
【図１】
2008067216.tif 000003
【図２】
2008067216.tif 000004
【図３】
2008067216.tif 000005
【図４】
2008067216.tif 000006
【図５】
2008067216.tif 000007
【図６】
2008067216.tif 000008
【図７】
2008067216.tif 000009
【図８】
2008067216.tif 000010